(57)【要約】  本発明は、ＬＥＤパッケージの照明特性補完用反射パターンを有する反射体、及びこれを含むＬＥＤ照明に関するものであり、チップ型ＬＥＤパッケージとマッチング結合して使うための、上方へ行くほど拡径するテーパ形状の内壁を有する本体からなり、その内壁に山と谷の屈曲を有するサイン波形の波動が全面積にわたって一定間隔をもって水平方向と垂直方向に交差して配列されるようにパターン化された三角関数形の交差波動パターン部を有する反射体、及び、これを含んでなるＬＥＤ照明に関し、不連続のチップマウンティングによりＬＥＤパッケージ自体が有する不完全な照明特性を補完してＬＥＤの照明効率が改善できると共に、製品の低価格化も具現可能であり、特に既存ＬＥＤ照明では全然改善できていなかった黄色柄パターンや暗部または熱点などが除去できるという有用な効果を提供可能なものである。
2015516670.tif 000002
【特許請求の範囲】
【請求項１】
不連続のチップ配列構造を有するＬＥＤパッケージとマッチング結合して該ＬＥＤパッケージの発散光による照明特性を改善するためのものであり、上方ほど拡径するテーパ形状の内壁を有する本体からなり、この本体の下端部にはＬＥＤパッケージの配置のための開口端部が形成され、
上記本体の内壁には、山と谷の屈曲を有するサイン波形の波動が全面積にわたって一定間隔をもって水平方向と垂直方向に交差して配列されるようにパターン化された三角関数形の交差波動パターン部が形成されてなることを特徴とする、ＬＥＤパッケージの照明特性補完用反射パターンを有する反射体。
【請求項２】
上記三角関数形の交差波動パターン部は、交差波動のパターン周期を“Ｈ１”とし、ＬＥＤパッケージのチップマウンティング周期を“Ｌ１”とする時、下の（条件式１）と（条件式２）を満たすように形成されることを特徴とする、請求項１に記載のＬＥＤパッケージの照明特性補完用反射パターンを有する反射体。
（条件式１）  ｍＨ１＝ｎＬ１（ｍ、ｎ＝定数）
（条件式２）  Ｈ１＝Ｈｉ（ｉ＝２、３、４、…）、Ｌ１＝Ｌｊ（j＝２、３、４、…）
【請求項３】
上記三角関数形の交差波動パターン部を内壁に有する本体は、極性のあるポリマー素材で形成されるベース層；該ベース層の上にコーティングされるアルミニウム層；該アルミニウム層の上にコーティングされる誘電体層；からなり、
上記誘電体層は、屈折率１.４〜１.５の範囲を有する低屈折誘電体で形成されることを特徴とする、請求項１に記載のＬＥＤパッケージの照明特性補完用反射パターンを有する反射体。
【請求項４】
請求項１乃至請求項３のうちの何れか一項に記載のＬＥＤパッケージの照明特性補完用反射パターンを有する反射体を含んでなることを特徴とするＬＥＤ照明。
【請求項５】
上記反射体の上に配置されて保護カバー及び防水の機能を担当し、反射体を通過した光の放射角を狭めるための非球面レンズによる透明カバーを更に含むことを特徴とする、請求項４に記載のＬＥＤ照明。
【請求項６】
上記透明カバーは、ガラス、シリコーン、ポリカーボネート（ＰＣ）、ポリメチルメタクリレート（ＰＭＭＡ）、シクロオレフィンコポリマー（ＣＯＣ）の中で選ばれた何れか１種からなるレンズ構造体であって、外面凸型構造であることを特徴とする、請求項５に記載のＬＥＤ照明。
【請求項７】
上記ＬＥＤパッケージは、一つの基板の上に多数のチップが２×２、３×３、…、ｎ×ｎの形態で不連続配列される製品であることを特徴とする、請求項４に記載のＬＥＤ照明。
【発明の詳細な説明】
【技術分野】
【０００１】
本発明は、ＬＥＤパッケージと結合して使用するための反射体及びこれを含むＬＥＤ照明に関し、より詳しくは、不連続のチップマウンティングによりＬＥＤパッケージ自体が有する不安定なチップ構造、及びこれから発生する不完全な照明特性が補完できるようにして、既存のＬＥＤパッケージを光源としてそのまま活用しながらもＬＥＤ照明効率が改善できるのは勿論のこと、製品の低価格化まで具現可能にするＬＥＤパッケージの照明特性補完用反射パターンを有する反射体、及びこれを含むＬＥＤ照明に関する。
【背景技術】
【０００２】
最近、照明装置を初めとした産業全般に亘って光源としてＬＥＤを使うことが多くなっており、これに従ってＬＥＤを効果的で有効に使うための各産業分野における研究も活発に行われてきている。
【０００３】
特に、既存の伝統的な照明を代替する概念の新しい照明として、ＬＥＤ照明に関する研究が最も頭角を現している。
【０００４】
しかし、伝統的な照明に対する基本知識が全くないＬＥＤ関連メーカーや関連市場の実際の対応は期待値に及んでおらず、特に市場で最も重要とされる価格範囲において、伝統的な照明をＬＥＤ照明で代替しようとする場合、少なくて５倍から多くて２０倍以上の高価格で形成されることから、伝統的な照明源をＬＥＤで代替するには未だ大きく及んでいないのが実情である。
【０００５】
一例として、伝統的な照明の一つであるハロゲンランプのＭＲ（Multifaceted  Reflector；多面体反射板）ランプは、多面体構造を有する圧縮ガラスの反射板表面の各面に対して均一に反射物質がコーティングされている形態及び構造を有し、これら各面は光学的にフィラメントから出る光を集めたり集光させる特性を発揮するもので、反射板が多面体ではない滑らかな構造となっているＭＲランプもあるが、これをも総称して“ＭＲランプ”又は“ＭＲ１６（ここで、数字‘１６’は、ＭＲランプの外面最大直径寸法を表す）”という。
【０００６】
このようなＭＲランプは、元々スライドプロジェクターの光源用として開発されたが、現在は直接照明用としてデパートや商店、ホテル、レストランなどの室内照明及びディスプレー照明に多く活用されている。
【０００７】
しかし、伝統的な照明であるＭＲランプは正常に使わない場合、危ない状況が発生し得るため、使用の際はいつも気を付けなければならない不便さがある。
【０００８】
付言すれば、ＭＲランプは、フィラメントの温度が少なくとも２６０℃まで上がり点灯中にハロゲン再生サイクルをするため、高温による火傷の危険があり、熱に弱いものに対しては注意が要求され、加熱されたフィラメントランプの表面を手で触る場合、破損の問題が発生する可能性があり、蛍光灯のような高効率の光源ではないので、全体照明のための応用ではなく、局所照明に相応しいとの限界がある。
【０００９】
上述した既存ＭＲランプの短所を克服し効率向上を図るために、チップ（chip）タイプのＬＥＤモジュール（ＬＥＤパッケージ）が適用されたＭＲ代替用ＬＥＤランプが図１の（ａ）及び図１の（ｂ）に示すように提案されており、大部分がチップタイプであるＬＥＤパッケージと放熱体及びソケット部を含む構成からなる。
【００１０】
この時、図１の（ａ）に示すように、ＬＥＤモジュールのＬＥＤチップ個数に合わせて個別対応する多数のレンズを有するレンズ部が設けられるが、時にはレンズ部ではなく、透明または半透明のカバーが具備されることもある。
【００１１】
また、効率向上のためにＬＥＤチップの発散光を調節する反射体を更に含む構成からなってもよい。
【００１２】
ここで、既存の５０Ｗ用ＭＲランプを代替するためには、８〜１０Ｗ出力を有するチップ型ＬＥＤパッケージが使われ、既存の２０Ｗ用ＭＲランプを代替するためには、４〜５Ｗ出力を有するチップ型ＬＥＤパッケージが使われている。
【００１３】
ところが、従来提案されているＭＲ代替用ＬＥＤランプは、既存ＭＲランプに比べてエネルギー効率及び照明効率がはるかに高くはない問題点があった。これを解消するためにＬＥＤパッケージの出力を高めると、効率は改善されるものの、価格が高くなる問題が生じ、ＬＥＤパッケージのサイズだけではなくランプのサイズまで大きくなる問題、及びそれに伴い放熱を解決しなければならない不便さがあった。
【００１４】
また、多数のチップが間隔を置いて配列されるＬＥＤパッケージでは、不連続のチップマウンティングによって基本的に不安定なチップ構造を有するものであり、これによってそれ自体が不完全な照明特性を有するしかなく、局所的に色座標が変形する問題を誘発することから色分離現象が発生するが、特に図９の（ｂ）に示されているように、光が照射される照射面に黄ばんだ帯のような黄色柄パターンが形成される問題点、及び暗部が形成される問題点があった。
【００１５】
しかも、従来提案されているＭＲ代替用ＬＥＤランプでは、反射体及び／又はカバーを具備するにもかかわらず、照射面に形成される黄色柄パターンが消えないことから、効率性の側面において改善が求められると共に低価格化が具現可能な製品が期待されているのが実情である。
【発明の概要】
【発明が解決しようとする課題】
【００１６】
本発明は、上述のような問題点を勘案してその解決のために案出されたものであって、既存ＬＥＤパッケージ自体が有する不連続のチップマウンティングによる不安定なチップ構造、及びこれにより発生する不完全な照明特性が補完でき、既存ＬＥＤパッケージを光源としてそのまま使いながらもＬＥＤ照明効率を改善するのは勿論のこと、製品の低価格化も具現可能なＬＥＤパッケージの照明特性補完用反射パターンを有する反射体、及びこれを含むＬＥＤ照明を提供することにその目的がある。
【００１７】
また、本発明は、既存のＭＲ１６として通用されるハロゲンランプ（ＭＲランプ）をＬＥＤで代替可能にし照明効率を高めると共に、従来提案されているＭＲ１６代替用ＬＥＤランプにおいて、ＬＥＤパッケージ自体の不完全な照明特性によって生じる色分離現象や黄ばんだ帯のような黄色柄パターンなどが除去できるようにした、ＬＥＤ照明を提供することに他の目的がある。
【００１８】
更に、本発明は、ＬＥＤパッケージの照明特性補完用反射パターンを有する反射体と非球面レンズをカバーで結合し構成して光源の最終放射角を更に狭めることができるようにし、これにより、車両やモーターサイクルのヘッドライト、競技場のスポットライト、港湾等などの照明としても活用可能にしたＬＥＤ照明を提供することにまた他の目的がある。
【００１９】
上記目的を達成するための本発明において、ＬＥＤパッケージの照明特性補完用反射パターンを有する反射体は、ＬＥＤパッケージとマッチング結合して上記ＬＥＤパッケージからの発散光に対する放射特性を改善するためのものであり、上方ほど拡径するテーパ形状の内壁を有する本体からなり、その下端部にはＬＥＤパッケージの配置のための開口端部が形成され、同本体の内壁には山と谷の屈曲を有するサイン波形の波動が全面積にわたって一定間隔をもって水平方向と垂直方向とに交差して配列されるようにパターン化した三角関数形の交差波動パターン部（Trigonometric  Cross-Wave  pattern  part）が形成されてなることを特徴とする。
【００２０】
望ましくは、上記三角関数形の交差波動パターン部は、交差波動のパターン周期を“Ｈ１”とし、ＬＥＤパッケージのチップマウンティング周期を“Ｌ１”とする時、
（条件式１）  ｍＨ１＝ｎＬ１（ｍ、ｎ＝定数）
（条件式２）  Ｈ１＝Ｈｉ（ｉ＝２、３、４、…）、Ｌ１＝Ｌｊ（ｊ=２、３、４、…）を満たすように形成されることができる。
【００２１】
また望ましくは、上記三角関数形の交差波動パターン部を内壁に有する本体は、極性のあるポリマー素材で形成されるベース層；該ベース層上にコーティングされるアルミニウム層；該アルミニウム層上にコーティングされる誘電体層；で構成され得る。
【００２２】
好ましくは、上記誘電体層は、屈折率１.４〜１.５の範囲を有する低屈折誘電体で形成され得る。
【００２３】
また、上述した目的を達成するための本発明のＬＥＤ照明は、三角関数形の交差波動パターン部を内壁に有する反射体を含んでなることを特徴とする。
【００２４】
望ましくは、上記三角関数形の交差波動パターン部を内壁に有する反射体の上に配置されて保護カバー及び防水の機能を果たし、反射体を通過した光の放射角を狭めるための非球面レンズによる透明カバー；を更に含んでなってもよい。
【００２５】
本発明によると、不連続のチップマウンティングによってＬＥＤパッケージが基本的に有している不安定なチップ構造及びこれから発生するそれ自体の不完全な照明特性を補完することができ、ＬＥＤの照明効率が改善できると共に、製品の低価格化が具現可能であり、既存ＭＲランプをＬＥＤ照明で代替し照明効率を高めることができ、従来ＭＲ代替用ＬＥＤランプにおいてＬＥＤパッケージ自体の不完全な照明特性によって生じていた色分離現象、黄ばんだ帯のような黄色柄パターン、又は熱点や暗部を除去することができる有用性を達成することができる。
【００２６】
本発明は、ＬＥＤパッケージの照明特性補完用反射パターンを有する反射体と非球面レンズをマッチング結合して構成することにより、ＬＥＤ照明を車両やモーターサイクルのヘッドライト、競技場のスポットライト、港湾等の照明にも活用することができるため、使用用途に適する変更が可能なだけでなく、反射パターンを有する反射体及びＬＥＤ照明の応用範囲を広げられる有用性を達成することができる。
【図面の簡単な説明】
【００２７】
【図１】従来使われているＭＲ代替用ＬＥＤランプを示す写真である。
【図２】本発明の実施例によるＬＥＤパッケージの照明特性補完用反射パターンを有する反射体を説明するための図である。
【図３】本発明の実施例によるＬＥＤパッケージの照明特性補完用反射パターンを有する反射体を説明するための図である。
【図４】本発明による反射体の断面層構造を示す図である。
【図５】本発明による三角関数形の交差波動パターン部を有する反射体とマッチング結合される不連続チップ配列構造を有するＬＥＤパッケージの類型を示す図である。
【図６】本発明による三角関数形の交差波動パターン部を有する反射体が適用されたＬＥＤ照明の光分布密度を示すシミュレーション図である。
【図７】本発明による三角関数形の交差波動パターン部を有する反射体が適用されたＬＥＤ照明の放射パターンを示すシミュレーション図である。
【図８】本発明による三角関数形の交差波動パターン部を有する反射体が適用されたＬＥＤ照明のＲＧＢチャートを示すシミュレーション図である。
【図９】本発明による図８のＲＧＢチャートとの比較のために示す、パターンが全然ない反射体を適用した場合のＲＧＢチャート図である。
【図１０】本発明による図８のＲＧＢチャートとの比較のために示す、本発明と違うパターンを有する反射体を適用した場合のＲＧＢチャート図である。
【図１１】本発明による図８のＲＧＢチャートとの比較のために示す、本発明と違うパターンを有する反射体を適用した場合のＲＧＢチャート図である。
【図１２】本発明による反射体が適用されたＭＲ代替用ＬＥＤ照明を示す構成例示図である。
【図１３】本発明によるＬＥＤパッケージの照明特性補完用反射パターンを有する反射体を含むＬＥＤ照明の他の実施例を示す図である。
【図１４】図１３の実施例によるＬＥＤ照明の放射パターンを示すシミュレーション図である。
【図１５】図１３の実施例によるＬＥＤ照明の距離別ＲＧＢチャートを示すシミュレーション図である。
【図１６】本発明によるＬＥＤパッケージの照明特性補完用反射パターンを有する反射体を含むＬＥＤ照明のまた他の実施例を示す図である。
【図１７】図１６の実施例によるＬＥＤ照明の放射パターンを示すシミュレーション図である。
【図１８】図１６の実施例によるＬＥＤ照明の距離別ＲＧＢチャートを示すシミュレーション図である。
【図１９】図１６の実施例によるＬＥＤ照明のアレイ配列による構成を示す例示図である。
【図２０】図１９のアレイ配列によるＬＥＤ照明のシミュレーションデータを示す図である。
【発明を実施するための形態】
【００２８】
以下、添付図面を参照しながら本発明の望ましい実施例について説明する。かかる詳細な説明によって本発明の目的と構成、及びこれらによる特徴がより一層理解できるであろう。
【００２９】
本発明の実施例によるＬＥＤパッケージの照明特性補完用反射パターンを有する反射体１００は、不連続のチップマウンティングによる不安定なチップ構造を有するＬＥＤパッケージの性能が補完できるようにした基本特性を有するものであって、図２乃至図４に示されているように、上方ほど拡径するテーパ形状の内壁を有する本体１１０からなり、その下端部にはチップ型ＬＥＤパッケージ２１０の配置のための開口端部１１１が形成される。
【００３０】
上記本体１１０の内壁には、山と谷の屈曲を有するサイン波形の波動が全面積にわたって一定間隔をもって水平方向と垂直方向に交差して配列されるようにパターン化された三角関数形の交差波動パターン部（Trigonometric  Cross-Wave  pattern  part）１２０が形成される。
【００３１】
このような、上記三角関数形の交差波動パターン部１２０は、照明のための発光体として結合使用されるＬＥＤパッケージ２１０が基本的に有する不連続のチップ配列構造による自体の不完全な照明特性を補うように光を制御することにより、光の照射面に対する照明効率を改善するためのものであり、特に従来使われているＭＲ１６代替用ＬＥＤランプにおいて、ＬＥＤパッケージ自体の不完全な特性によって光の照射面に生じていた黄ばんだ帯のような黄色柄パターンを完壁に除去するためのものである。
【００３２】
この時、上記三角関数形の交差波動パターン部１２０は、図３に示すように、その交差波動のパターン周期を“Ｈ１”とし、ＬＥＤパッケージ２１０のチップマウンティング周期を“Ｌ１”とする時、下の（条件式１）及び（条件式２）を満たすように形成することが望ましい。
【００３３】
（条件式１）  ｍＨ１＝ｎＬ１（ｍ、ｎ＝定数）
（条件式２）  Ｈ１＝Ｈｉ（ｉ＝２、３、４、…）、Ｌ１＝Ｌｊ（ｊ＝２、３、４、…）
また、上記三角関数形の交差波動パターン部１２０を内壁に有する本体１１０は、照明効率を向上させると共に反射体１００を初めとしたＬＥＤ照明の低価格化まで具現可能なように構成することが望ましく、図４に示されているように、極性のあるポリマー素材の合成樹脂で形成されるベース層１１０ａと、該ベース層１１０ａの上にコーティングされるアルミニウム層１１０ｂと、該アルミニウム層１１０ｂの上にコーティングされる誘電体層１１０ｃとで構成される。
【００３４】
この時、上記ベース層１１０ａを合成樹脂を使って形成することにより、反射体１００の形状の成形を容易にし、三角関数形の交差波動パターン部１２０のパターン形成を容易にすることができ、特にＡＢＳ樹脂やＰＥ及びＰＭＭＡなどの極性のあるポリマー素材の合成樹脂を使う場合、金属素材であるアルミニウム層１１０ｂとの親和力を高めることができ、コーティング効率を高めることができる。
【００３５】
上記アルミニウム層１１０ｂは、ＬＥＤパッケージ２１０の発散光に対する反射効率を高めることができると共に、熱が放出可能な放熱機能を具備するようにしたもので、プラズマ方式でコーティング処理するのが最も有効と言えよう。
【００３６】
上記誘電体層１１０ｃは、反射効率を高めるためのアルミニウム層１１０ｂを保護すると共にアルミニウム層１１０ｂの酸化防止の役目を果たすためのもので、反射率低下を防止するためのものである。
【００３７】
上記誘電体層１１０ｃは、屈折率１．４〜１．５の範囲を有する低屈折誘電体で構成することが望ましく、例えばＴｉＯ２、ＭｇＦ２、ＳｉＯ２などが挙げられる。
【００３８】
この時、本発明による反射体１００とマッチング結合して使うことができるＬＥＤパッケージ２１０は、Light Ocean社製の不連続のチップ配列構造を有するＬＥＤパッケージ製品が挙げられるが、図３及び図５に示すように、一つの基板の上に多数のチップが２×２、３×３、…、ｎ×ｎの形態で不連続配列されるＬＥＤパッケージ製品をすべて適用することができると言える。
上記構成を有する本発明の反射体１００は、ＬＥＤパッケージ２１０の発散光において自体的に不安定だった照明特性を改善するものであって、内壁に形成される三角関数形の交差波動パターン部１２０により四方で行われる屈折作用及び均一な制御により反射効率を最大に引き出す役割を果たすのは勿論のこと、局所的な色座標の変形を防止して色分離現象を遮断し、これによって自体の不完全な照明特性を有するＬＥＤパッケージ２１０の放射パターンに変化を誘導する作用をして、光が到達する照射面に従来よく発生していた黄ばんだ帯のような黄色柄パターンを除去することができるのである。
【００３９】
一方、図６は、本発明による三角関数形の交差波動パターン部１２０を内壁に形成した反射体１００と、図３に示すチップ配列モデルを有するＬＥＤパッケージ２１０をマッチング結合したＬＥＤ照明の光分布密度を示すシミュレーションデータであって、Ｘ軸線上とＹ軸線上とにおけるそれぞれの光分布密度は主に直進光の形態が誘導されていることを示している。
【００４０】
図７は、本発明による三角関数形の交差波動パターン部１２０を内壁に有する反射体１００と、図３に示すチップ配列モデルを有するＬＥＤパッケージ２１０をマッチング結合したＬＥＤ照明の放射パターンを示すシミュレーションデータであって、ＬＥＤパッケージ２１０の発散光に対して５５〜６０°の放射角を形成するように調整していることを示しており、改善前に比べて放射パターンの変化が誘導されていることが分かる。
【００４１】
図８は、本発明による三角関数形の交差波動パターン部１２０を内壁に有する反射体１００と、図３に示すチップ配列モデルを有するＬＥＤパッケージ２１０をマッチング結合したＬＥＤ照明のＲＧＢ（レシーバーに照度の２Ｄラスターチャート（raster  chart）を表示したもの）チャートを示すシミュレーションデータであって、図９に示すようにパターンの全然ない反射体を適用した場合のＲＧＢチャートと比較するとき、図９のものは照射面の中心部に黄色帯が生じる問題点を示しているのに対し、図８の本発明による反射体１００を適用したものは、黄色柄が全然生じていないことを示している。
【００４２】
また、図１０及び図１１は、本発明による図８のＲＧＢチャートとの比較のために示した、本発明と違うパターンを有する反射体を適用した場合のＲＧＢチャート図面であって、図１０のようなエンボス突起形態のパターンを有する反射体を含む場合、パターンに変化を与えることができないことから、図９に示されているように依然として黄色帯が生じる問題点を示しており、図１１のような類型のパターンを有する反射体を含む場合、図９のものに比べてパターンに変化はあるものの、中央に熱点が生じる問題点があることを示している。
【００４３】
従って、本発明による三角関数形の交差波動パターン部１２０を内壁に有する反射体１００は、チップ配列モデルを有するＬＥＤパッケージ２１０とマッチング結合してＬＥＤ照明を構成することにより、不連続のチップマウンティングによってＬＥＤパッケージが基本的に有する不安定なチップ構造、及びこれから発生する自体の不完全な照明特性による黄色柄パターンなどを、放射パターンの調整を通して極めて容易に除去することができる。
【００４４】
一方、以上の構成を有する本発明によるＬＥＤパッケージの照明特性補完用反射パターンを有する反射体１００を含むＬＥＤ照明２００は、上述したような技術的構成を有する反射体１００と、不連続のチップ配列を有するＬＥＤパッケージ２１０とが必須構成要素としてマッチング結合される構成からなる。
【００４５】
一例として、既存ハロゲンランプであるＭＲ１６ランプの代替用として構成しようとする場合、図１２に例示するように、不連続のチップ配列構造を有するＬＥＤパッケージ２１０と、該ＬＥＤパッケージ２１０の発散光によって光の照射面に発生していた黄色柄パターンなどを除去するための三角関数形の交差波動パターン部１２０を内壁に形成した反射体１００と、上記ＬＥＤパッケージ２１０の動作時の放熱作用のためのヒートシンク２２０と、上記ＬＥＤパッケージ２１０を保護するためのもので、反射体１００上に配置されるカバー２４０とを含むように構成できる。
【００４６】
この時、上記ＬＥＤパッケージ２１０への電源の供給及び電源供給源との連結のためにソケット部２３０を更に備えることができ、上記カバー２４０は半透明または透明素材からなってもよい。
【００４７】
ここで、上記反射体１００と、ヒートシンク２２０、カバー２４０は、既存ＭＲ１６ランプのサイズと類似対応するサイズに形成されると言える。
【００４８】
このようなＬＥＤ照明２００は、既存のＭＲ１６ランプに代えてデパートや商店、ホテル、レストランなどの室内照明及びディスプレイ照明として使うことができ、既述したように５５〜６０°の放射角が形成でき、既存のＭＲ代替用ＬＥＤランプのパターンでは除去できなかった黄ばんだ帯のような黄色柄パターンや熱点を容易に除去することができて、既存に比べ効率を増大させながら製品の低価格化が実現可能である。
【００４９】
また、図１３は、上記の構成を有する本発明によるＬＥＤパッケージの照明特性補完用反射パターンを有する反射体１００を含む他の実施例のＬＥＤ照明３００を示す図面であり、投光灯やスポットライト（spotlight）照明などとして使えるようにしたものである。
【００５０】
ＬＥＤ照明３００は、不連続のチップ配列構造を有するＬＥＤパッケージ３１０と、ＬＥＤパッケージの発散光によって光の照射面に発生していた黄色柄パターンを除去するための三角関数形の交差波動パターン部１２０を内壁に形成した反射体１００と、ヒートシンク３２０、及びカバー３３０を含む構成を示している。
【００５１】
このような構成により、図１４の放射パターンのようにＬＥＤパッケージの発散光に対して６０°の放射角が形成され、図１５の距離別ＲＧＢチャートから分かるように中心部が明るくなる。
【００５２】
一方、図１６は、上述した構成の本発明によるＬＥＤパッケージの照明特性補完用反射パターンを有する反射体１００を含む、また他の実施例のＬＥＤ照明４００を示す図面であり、この時、ＬＥＤ照明４００は、アレイ配列を通して競技場のスポットライト（spotlight）やサーチライト（search  light）照明として使えるようにしたものである。
【００５３】
これも、不連続のチップ配列構造を有するＬＥＤパッケージ４１０と、ＬＥＤパッケージの発散光によって光の照射面に生じていた黄色柄パターンを除去するための三角関数形の交差波動パターン部１２０を内壁に形成した反射体１００と、ヒートシンク４２０、及び非球面レンズによる透明カバー４３０を含む構成を示している。
【００５４】
この時、上記非球面レンズによる透明カバー４３０は、上記反射体１００の上に配置されるもので、反射体１００の保護カバー及び防水の機能を担当すると共に、反射体１００を通過した光の放射角を狭める役割を果たすように構成したものである。
【００５５】
ここで、上記透明カバー４３０は、ガラス、シリコーン、ポリカーボネート（Polycarbonate；ＰＣ）、ポリメチルメタクリレート（Poly  Methyl  Methacrylate；ＰＭＭＡ）、シクロオレフィンコポリマー（Cyclo  Olefin  Copolymer；ＣＯＣ）の中で選ばれた何れか１種からなるレンズ構造体であって、光の放射角を狭めるために外面を凸型構造に形成することが望ましい。
【００５６】
このような、上記透明カバー４３０は、ＬＥＤパッケージ４１０の発散光に対して反射体１００が５５〜６０°の放射角を形成するように制御したものを、非球面レンズの追加構成により最終的に３５〜４０°の放射角を形成するよう調整するためのものである。
【００５７】
このような構成により、図１７に示す放射パターンのように、ＬＥＤパッケージの発散光に対して３５〜４０°の放射角が形成され、図１８の距離別ＲＧＢチャートから分かるように、ラウンド形の内部においてその中心部だけではなく、周辺まで同様の明るさが形成されるようになる。
【００５８】
更に、上記また他の実施例によるＬＥＤ照明４００は、図１９に示すように、多数個のＬＥＤ照明４００をアレイ配列して一つのセット（set）に構成することで、７００Ｗ用サーチライトとして働くようにしたもので、図２０の光分布密度及び放射パターンで示すシミュレーションデータから明らかなように、サーチライトとして有用に機能できる。
【００５９】
このようなＬＥＤ照明４００は、反射体１００と非球面レンズによる透明カバー４３０とを含む構成により、車両やモーターサイクルのヘッドライト、競技場のスポットライト、港湾のhigh-bayなどの照明としても活用できるものである。
【００６０】
従って、本発明は、ＬＥＤ照明の応用範囲を広げることができ、使用目的に好適であり、効率が良く、低価格化が具現可能なＬＥＤ照明を提供することができる。
【００６１】
以上で説明した実施例は、本発明の望ましい実施例を説明したものに過ぎず、かかる実施例に決して限定されるものではなく、当該技術分野の当業者によって様々な修正や変形又は置換が可能であると言える。
【産業上の利用可能性】
【００６２】
本発明は、不連続のチップマウンティングによってＬＥＤパッケージ自体が有する不安定なチップ構造及びこれにより発生する不完全な照明特性が補完できるようにし、既存のＬＥＤパッケージを光源としてそのまま活用しながらもＬＥＤ照明効率が改善できるのは勿論のこと、製品の低価格化まで具現可能にしたことから産業上の利用可能性を有する、ＬＥＤパッケージの照明特性補完用反射パターンを有する反射体及びこれを含むＬＥＤ照明に関する。
【符号の説明】
【００６３】
１００    反射体
１１０    本体
１１０ａ  ベース層
１１０ｂ  アルミニウム層
１１０ｃ  誘電体層
１２０    三角関数形の交差波動パターン部
２００、３００、４００  ＬＥＤ照明
２１０、３１０、４１０  ＬＥＤパッケージ
４３０    透明カバー（非球面レンズ）
【図１】
2015516670.tif 000003
【図２】
2015516670.tif 000004
【図３】
2015516670.tif 000005
【図４】
2015516670.tif 000006
【図５】
2015516670.tif 000007
【図６】
2015516670.tif 000008
【図７】
2015516670.tif 000009
【図８（ａ）】
2015516670.tif 000010
【図８（ｂ）】
2015516670.tif 000011
【図９（ａ）】
2015516670.tif 000012
【図９（ｂ）】
2015516670.tif 000013
【図１０（ａ）】
2015516670.tif 000014
【図１０（ｂ）】
2015516670.tif 000015
【図１１（ａ）】
2015516670.tif 000016
【図１１（ｂ）】
2015516670.tif 000017
【図１２】
2015516670.tif 000018
【図１３（ａ）】
2015516670.tif 000019
【図１３（ｂ）】
2015516670.tif 000020
【図１４】
2015516670.tif 000021
【図１５】
2015516670.tif 000022
【図１６（ａ）】
2015516670.tif 000023
【図１６（ｂ）】
2015516670.tif 000024
【図１７】
2015516670.tif 000025
【図１８】
2015516670.tif 000026
【図１９】
2015516670.tif 000027
【図２０】
2015516670.tif 000028
【国際調査報告】
2015516670.tif 000029
2015516670.tif 000030
2015516670.tif 000031
2015516670.tif 000032